(57)【要約】【課題】クロッチ部の後端近傍で皮膚にフィットさせて、美しいヒップラインの形成を実現する。【解決手段】着用者の臀部を被覆するガードル１は、クロッチを被覆するクロッチ部６と、クロッチ部６に接続し、左右の臀部をそれぞれフィットして被覆する一対の後身頃部２と、クロッチ部６の後端と一対の後身頃部２を、左右中心線上で接続する中心部５を備える。後身頃部２に、ヒップトップを囲う一対の緊締部２１が設けられ、後身頃部２に緊締部２１が設けられた位置は、後身頃部２に緊締部２１が設けられない位置に比べて、強い緊締力を与え、緊締部２１と、クロッチ部の後端との間に、緊締部２１が設けられないクロッチ後端上方被覆部２５が設けられる。【選択図】      図１
2020023758.tif 000002
【特許請求の範囲】
【請求項１】
着用者の臀部を被覆するクロッチ部を有する衣類であって、
クロッチを被覆するクロッチ部と、
前記クロッチ部に接続し、左右の臀部をそれぞれフィットして被覆する一対の後身頃部と、
前記クロッチ部の後端と前記一対の後身頃部を、左右中心線上で接続する中心部を備え、
前記後身頃部に、ヒップトップを囲う一対の緊締部が設けられ、
前記後身頃部に前記緊締部が設けられた位置は、前記後身頃部に緊締部が設けられない位置に比べて、強い緊締力を与え、
前記緊締部と、前記クロッチ部の後端との間に、前記緊締部が設けられないクロッチ後端上方被覆部が設けられる
ことを特徴とするクロッチ部を有する衣類。
【請求項２】
前記後身頃部に接続し、左右の足をそれぞれ被覆する一対の足被覆部をさらに備え、
前記後身頃部の下端は、左右中心側で、前記クロッチ部の後端に接続し、前記クロッチ部の脇側後端から前記着用者の臀溝ラインに沿って、前記足被覆部に接続し、
前記後身頃部の下端と、前記足被覆部が接続する位置に、前記後身頃部よりも伸びにくい接続部が形成される
ことを特徴とする請求項１に記載のクロッチ部を有する衣類。
【請求項３】
前記緊締部は、前記クロッチ部の左右中心線上の後端よりも上方で、前記中心部に接続し、前記クロッチ部の脇側後端より脇側で、前記接続部に接続し、
前記クロッチ後端上方被覆部に配設される前記後身頃部は、前記接続部、前記中心部、前記クロッチ部の後端および前記緊締部で囲われる皮膚を被覆する
ことを特徴とする請求項２に記載のクロッチ部を有する衣類。
【請求項４】
ウエストを被覆し、前記後身頃部に接続するウエスト部をさらに備え、
前記緊締部の上端は前記ウエスト部に接続し、
前記緊締部は、前記接続部と前記中心部を外縁とする略Ｕ字形状を有し、
前記緊締部の臀溝ライン側は、左右脇上方よりも強い緊締力を有する
ことを特徴とする請求項２に記載のクロッチ部を有する衣類。
【請求項５】
前記緊締部は、前記略Ｕ字形状の外縁の左右中心線側の下端において前記後身頃部と遊離して設けられる
ことを特徴とする請求項４に記載のクロッチ部を有する衣類。
【請求項６】
前記緊締部は、前記略Ｕ字形状の外縁の脇側および左右中心線側において前記後身頃部に接続し、内縁において前記後身頃部と遊離して設けられる
ことを特徴とする請求項４に記載のクロッチ部を有する衣類。
【請求項７】
前記緊締部は、前記クロッチ部を有する衣類における配設位置よりも、内縁の曲率が小さい生地を、前記後身頃部に接続し、内縁において生地の余剰を形成する
ことを特徴とする請求項６に記載のクロッチ部を有する衣類。
【請求項８】
前記ウエスト部において、前記緊締部の略Ｕ字形状の上端の開口の上方に、前記ウエスト部よりも伸びにくい伸び止め部が設けられる
ことを特徴とする請求項４に記載のクロッチ部を有する衣類。
【発明の詳細な説明】
【技術分野】
【０００１】
本発明は、着用者の臀部を被覆するクロッチ部を有する衣類に関する。
【背景技術】
【０００２】
女性のヒップは、加齢により、形状が変化することが知られている。例えば、若い女性のヒップ形状は、丸みのある円形であるが、加齢によりたわみ、下垂、ヒップトップの位置の低下等により、ヒップ形状が変化する。
【０００３】
ヒップトップを上げるために、臀部の輪郭に沿いながら、臀部の下方と側面につり上げ用サポーター（緊締部）を配設して、ヒップアップ、ボリュームアップおよび装着感を実現するクロッチ部を有する衣類が開示されている（例えば特許文献１参照。）。特許文献１に示すクロッチ部を有する衣類において、クロッチ部と緊締部とが隣接して配置される。
【先行技術文献】
【特許文献】
【０００４】
【特許文献１】特開平９−０５９８０５号公報
【発明の概要】
【発明が解決しようとする課題】
【０００５】
クロッチ部の後端近傍は、臀裂と臀溝が交差するので複雑な形状を有する。特許文献１に示すように、パワーの強い緊締部がクロッチ部に隣接して配置されると、緊締部が皮膚に沿いにくく浮いてしまう場合がある。従って特許文献１の緊締部で、適切にクロッチ部後端近傍の皮膚を体の中心方向に押圧することができず、適切に補整をできない場合がある。
【０００６】
従って本発明の目的は、クロッチ部の後端近傍で皮膚にフィットさせて、美しいヒップラインの形成を実現するクロッチ部を有する衣類を提供することである。
【課題を解決するための手段】
【０００７】
上記課題を解決するために、本発明の特徴は、着用者の臀部を被覆するクロッチ部を有する衣類に関する。本発明の特徴に係るクロッチ部を有する衣類は、クロッチを被覆するクロッチ部と、クロッチ部に接続し、左右の臀部をそれぞれフィットして被覆する一対の後身頃部と、クロッチ部の後端と一対の後身頃部を、左右中心線上で接続する中心部を備える。後身頃部に、ヒップトップを囲う一対の緊締部が設けられ、後身頃部に緊締部が設けられた位置は、後身頃部に緊締部が設けられない位置に比べて、強い緊締力を与え、緊締部と、クロッチ部の後端との間に、緊締部が設けられないクロッチ後端上方被覆部が設けられる。
【０００８】
後身頃部に接続し、左右の足をそれぞれ被覆する一対の足被覆部をさらに備え、後身頃部の下端は、左右中心側で、クロッチ部の後端に接続し、クロッチ部の脇側後端から着用者の臀溝ラインに沿って、足被覆部に接続し、後身頃部の下端と、足被覆部が接続する位置に、後身頃部よりも伸びにくい接続部が形成されても良い。
【０００９】
緊締部は、クロッチ部の左右中心線上の後端よりも上方で、中心部に接続し、クロッチ部の脇側後端より脇側で、接続部に接続し、クロッチ後端上方被覆部に配設される後身頃部は、接続部、中心部、クロッチ部の後端および緊締部で囲われる皮膚を被覆しても良い。
【００１０】
ウエストを被覆し、後身頃部に接続するウエスト部をさらに備え、緊締部の上端はウエスト部に接続し、緊締部は、接続部と中心部を外縁とする略Ｕ字形状を有し、緊締部の臀溝ライン側は、左右脇上方よりも強い緊締力を有しても良い。
【００１１】
緊締部は、略Ｕ字形状の外縁の左右中心線側の下端において後身頃部と遊離して設けられても良い。
【００１２】
緊締部は、略Ｕ字形状の外縁の脇側および左右中心線側において後身頃部に接続し、内縁において後身頃部と遊離して設けられても良い。
【００１３】
緊締部は、クロッチ部を有する衣類における配設位置よりも、内縁の曲率が小さい生地を、後身頃部に接続し、内縁において生地の余剰を形成しても良い。
【００１４】
ウエスト部において、緊締部の略Ｕ字形状の上端の開口の上方に、ウエスト部よりも伸びにくい伸び止め部が設けられても良い。
【発明の効果】
【００１５】
本発明によれば、クロッチ部の後端近傍で皮膚にフィットさせて、美しいヒップラインの形成を実現するクロッチ部を有する衣類を提供することができる。
【図面の簡単な説明】
【００１６】
【図１】本発明の実施の形態に係るガードルを着用した状態を背面から観察した図である。
【図２】本発明の実施の形態に係るガードルを着用した状態を、後身頃部を透過して背面斜方から観察した図である。
【図３】本発明の実施の形態に係るガードルの後身頃部を説明する図である。
【図４】本発明の実施の形態に係るガードルの後身頃部とクロッチ部との接続部分を肌側から観察した状態を説明する図である。
【図５】本発明の実施の形態に係るガードルの肌側を表にして平置きした状態を説明する図である。
【図６】本発明の実施の形態に係るガードルについて、後身頃部、足被覆部およびウエスト部を透過した状態での緊締部を形成する生地を説明する図である。
【図７】図７（ａ）は、下垂のあるヒップを側面から観察した図であって、図７（ｂ）は、本発明の実施の形態に係るガードルを着用した状態を側面から観察した図であって、図７（ｃ）は、下垂のないヒップを側面から観察した図である。
【図８】図８（ａ）は、下垂のあるヒップを背面から観察した図であって、図８（ｂ）は、本発明の実施の形態に係るガードルを着用した状態を背面から観察した図である。
【図９】下垂したヒップと下垂のないヒップを側面から比較した図である。
【図１０】本発明の実施の形態において着目する内ヒップラインを説明する図である。
【図１１】下垂したヒップと下垂のないヒップの内ヒップラインを比較した図である。
【発明を実施するための形態】
【００１７】
次に、図面を参照して、本発明の実施の形態を説明する。以下の図面の記載において、同一または類似の部分には同一または類似の符号を付している。
【００１８】
（実施の形態）
図１ないし図３を参照して、本発明の実施の形態に係るガードル（クロッチ部を有する衣類）１を説明する。ガードル１は、着用者の臀部を被覆する。本発明の実施の形態に係るガードル１は、生地を重ねたカットソーで形成される場合を説明する。本発明の実施の形態において上下方向は、それぞれ着用者の立位状態での上下に対応する。
【００１９】
本発明の実施の形態に係るガードル１は、下垂したヒップを、下垂のないヒップの状態に引き上げる。図９（ａ）に、下垂したヒップの例を側面から示し、図９（ｂ）に、下垂のないヒップの例を側面から示す。図９（ａ）および（ｂ）に示す線Ｌ１は、下垂のないヒップのヒップトップを通る水平線である。図９（ａ）に示す下垂したヒップのヒップトップの位置が、Ｌ１よりも下方にあることから、下垂したヒップのヒップトップの位置が、下垂のないヒップのヒップトップよりも低い位置にあることがわかる。
【００２０】
本発明の実施の形態において、ガードル１による効果を測るために、図１０に示す仮想の内ヒップラインＨを定義する。なお図１０においてＬ１１は、臀溝最下点を通る水平線で、Ｌ１２は、左右中心線である。
【００２１】
仮想の内ヒップラインＨは、図１０に示すようにＰ１、Ｐ２およびＰ３を滑らかに通る曲線である。Ｐ１は、臀溝最下点である。Ｐ２は、Ｐ１を通る左右中心線（後正中線）側上方４５度の仮想線Ｌ１３と左右中心線Ｐ１２との交点である。Ｐ３は、Ｐ１と後方視太腿部の内側の中央点Ｐ４と、この中央点Ｐ４を通る左右中心線側上方４５度の仮想線Ｌ１４と左右中心線上の仮想の垂直線Ｌ１２との交点Ｐ５との後方視の中央点である。発明者らの知見によると、図１０で定義される点Ｐ３は、加齢等に伴って脂肪がたまり、ヒップラインの下垂が現れやすい特徴点である。なおＰ１ないしＰ５および直線Ｌ１１ないしＬ１４は、垂直平面（着用者の立位時）上の点または線である。
【００２２】
図１１（ａ）は、下垂したヒップの左右中心線近傍を示し、図１１（ｂ）は、下垂のないヒップの左右中心線近傍を示す。図１１（ａ）および（ｂ）に示す内ヒップラインＨ１およびＨ２は、それぞれ、図１０に示す定義に従って定められた内ヒップラインＨである。下垂したヒップにおける内ヒップラインＨ１は曲率が小さく、下垂のないヒップにおける内ヒップラインＨ２は曲率が大きい。内ヒップラインＨ１は、内ヒップラインＨ２に比べて、急な曲線になる。
【００２３】
本発明の実施の形態に係るガードル１を着用することによりクロッチ部の後端近傍でガードル１が皮膚にフィットする。これによりガードル１の非着用時の内ヒップラインＨ（特にＰ３）が、ヒップトップ側（脇側上方）に移動する。図１１（ａ）に示す内ヒップラインＨ１は、ガードル１の着用により、図１１（ｂ）に示す内ヒップラインＨ２に近づく。このようにガードル１の着用により、クロッチ部の後端近傍の脂肪がヒップトップ側に移動し、内ヒップラインＨを上げることができるので、本発明の実施の形態は、ガードル１の着用により、後方視におけるクロッチ部後端近傍をすっきりさせ、美しいヒップラインを形成することができる。
【００２４】
また本発明の実施の形態において、図１１（ａ）および（ｂ）に示すように、左右中心線近傍において内ヒップラインＨ１およびＨ２によりそれぞれ形成される後方視デルタ形状の空間Ｄ１およびＤ２に着目する。空間Ｄ１は、後方視で、臀溝の最下部に接する仮想の水平線Ｌ１１上の辺と、左右中心線上の仮想の垂直線Ｌ１２上の辺と、水平線Ｌ１１および垂直線Ｌ１２とそれぞれ４５度をなし内ヒップラインＨ１に接する斜辺とで形成される二等辺三角形を有する空間である。同様に空間Ｄ２は、後方視で、臀溝に接する仮想の水平線Ｌ１１上の辺と、左右中心線上の仮想の垂直線Ｌ１２上の辺と、水平線Ｌ１１および垂直線Ｌ１２とそれぞれ４５度をなし内ヒップラインＨ２に接する斜辺とで形成される二等辺三角形を有する空間である。
【００２５】
下垂したヒップにおいて形成される空間Ｄ１は、下垂のないヒップにおいて形成される空間Ｄ２よりも狭く、下垂のないヒップにおいて形成される空間Ｄ２は、下垂したヒップにおいて形成される空間Ｄ１よりも広く形成される。そこで本発明の実施の形態において、左右中心線上近辺において、左右の内ヒップラインＨにより形成される後方視デルタ形状の空間の大きさの違いに着目する。本発明の実施の形態に係るガードル１は、下垂のあるヒップにおいても、下垂のないヒップで形成される後方視デルタ形状の空間に近づけるように補整することにより、ヒップの造形を実現する。
【００２６】
図１ないし図３を参照して、本発明の実施の形態に係るガードル１を説明する。図１に示すように、本発明の実施の形態に係るガードルは左右対称に形成される。ガードル１は、左右一対の後身頃部２、左右一対の足被覆部３、ウエスト部４、中心部５、クロッチ部６および前身頃部（図示せず）を備える。前身頃部は、複数の部材により形成されても良いし、足被覆部３の生地を前面まで延伸して、前身頃部の一部を形成するようにしても良い。
【００２７】
後身頃部２は、図２に示すように、左右の臀部をそれぞれフィットして被覆する。後身頃部２は、上方においてウエスト部４に接続し、下方の中心側（左右中心線側）においてクロッチ部６に接続し、下方の脇側において足被覆部３に接続する。後身頃部２の下端は、臀溝ラインに対応する位置である。後身頃部２は、伸縮性を有する生地で形成され、左右の臀部にそれぞれフィットすることができる。
【００２８】
後身頃部２に、ヒップトップを囲う略Ｕ字形状を有する一対の緊締部２１が設けられる。後身頃部２に緊締部２１が設けられることにより、後身頃部２に緊締部２１が設けられた位置は、後身頃部２に緊締部２１が設けられない位置に比べて、着用者の皮膚に対して、強い緊締力を与える。緊締部２１は、後身頃部２を形成する生地よりも、緊締力が高い生地が用いられる。当て布として後身頃部２に付される緊締部２１を形成する生地そのものの緊締力が、後身頃部２よりも強い必要はない。例えば、後身頃部２を形成する生地と、同じ緊締力を発揮する生地を緊締部２１の生地として用いた場合でも、緊締部２１に対応する位置には、後身頃部２の生地と、緊締部２１の生地の２枚の生地によるパワーがかかるので、緊締部２１が配設される位置において、緊締部２１が配設されない位置よりも強いパワーがかかるように形成される。
【００２９】
また緊締部２１の上端はウエスト部４に接続する。これにより緊締部２１は、強い緊締力によりウエスト部４から臀溝近傍の肉を引き上げ、ヒップアップを実現する。
【００３０】
足被覆部３は、後身頃部２に接続し、左右の足をそれぞれ被覆する。本発明の実施の形態において足被覆部３は、一枚の生地を内股で接続することで筒状に形成される。足被覆部３は、後身頃部２と同様に、伸縮性を有する生地で形成され、左右の足にそれぞれフィットすることができる。
【００３１】
後身頃部２および足被覆部３は、パワーネット、ツーウェイラッセル、トリコネットなどのタテ編み部材が用いられても良いし、ベアスムースなどのヨコ編み部材が用いられても良い。後身頃部２および足被覆部３に、同じ部材を用いても良いし、異なる部材を用いても良い。
【００３２】
図１に示すように、後身頃部２の下端と、足被覆部３が接続する位置に、後身頃部２よりも伸びにくい接続部２４が形成される。後身頃部２の下端は、臀溝ラインに対応する位置に設けられるので、接続部２４は、臀部と足部との境界に設けられ、ヒップを構成する肉と、足部の肉とを区別し、緊締部２１がヒップを構成する肉を適切に持ち上げることを可能にする。接続部２４は、後身頃部２と足被覆部３の接ぎ線であっても良いし、伸びにくいテープ部材が設けられても良い。
【００３３】
ウエスト部４は、ウエストを被覆し、後身頃部２に接続する。ウエスト部４は、ウエストの周方向にフィットしてガードル１のずり下がりを防止できるように、後身頃部２よりも緊締力が高くなるように形成される。またウエスト部４の上端の周方向に、ゴムなどの緊締力の高いテープ状部材が配設されても良い。
【００３４】
中心部５は、クロッチ部６の後端から臀裂に沿ってウエスト部４の上端まで配設され、後身頃部２を、左右中心線上で接続する。中心部５は、左右の後身頃部２の接ぎ線であっても良いし、さらにゴムなどの伸びにくいテープ状部材が配設されても良い。本発明の実施の形態において中心部５は、ウエスト部４の上端まで延伸して配設されるが、これに限られない。中心部５は例えば、ウエスト部４の下端まで延伸し、ウエスト部４に延伸しなくても良い。
【００３５】
クロッチ部６は、着用者のクロッチを被覆する。クロッチ部６は、後身頃部２よりも伸びにくい生地で形成され、クロッチ部６とウエスト部４により着くずれを回避し、ガードル１を密接に着用することができる。
【００３６】
（クロッチ部後端近傍）
クロッチ部６の後端６１の近傍、より具体的には、クロッチ部６の後端６１よりも上方の後身頃部２について、図４を参照して説明する。図４は、後身頃部２とクロッチ部６との接続部分を肌側から観察した図である。図４の図面上方が背面側で、図面下方が前側である。
【００３７】
緊締部２１は、クロッチ部６の後端６１の近傍で、脇側において後身頃部２の下端（足被覆部３または接続部２４）に接続するように配設される一方、クロッチ部６には接続しないように形成される。緊締部２１とクロッチ部６の後端との間に、緊締部２１が設けられないクロッチ後端上方被覆部２５が設けられる。緊締部２１は、後身頃部２および足被覆部３と同様の、パワーネット、ツーウェイラッセル、トリコネットなどのタテ編み部材、またはベアスムースなどのヨコ編み部材を、用いても良いし、必要に応じてこの部材を重ねて用いても良い。また緊締部２１は、マーキゼット等の非伸縮性ないし難伸縮部材を用いても良い。
【００３８】
クロッチ部６の後端６１の左右中心線上の位置６１ａに、中心部５が接続される。後身頃部２の下端は、左右中心側で、クロッチ部６の左右中心線上の後端６１に接続し、クロッチ部６の脇側後端の位置６１ｂから着用者の臀溝ラインに沿って、接続部２４で足被覆部３に接続する。
【００３９】
これに対し緊締部２１は、図４に示すように、クロッチ部６の左右中心線上の後端６１ａよりも上方で、中心部５に接続し、クロッチ部６の脇側後端６１ｂより脇側で、接続部２４に接続する。緊締部２１の左右中心線側の下端は、クロッチ部６の後端６１に接続しないので、クロッチ部６の後端６１と緊締部２１の下端との間に、後身頃部２が露出するクロッチ後端上方被覆部２５が設けられる。
【００４０】
クロッチ後端上方被覆部２５に配設される後身頃部２は、接続部２４、中心部５、クロッチ部６の後端６１および緊締部２１で囲われる皮膚を被覆する。ここで、緊締部２１は、後身頃部２に緊締力の強い生地が重ねられて形成される。一方クロッチ後端上方被覆部２５は、緊締力の強い生地が重ねられず、後身頃部２によって被覆されるので、緊締部２１と比べて、着用者の肌への当たりが弱く、皮膚にフィットしやすい。従って、クロッチ後端上方被覆部２５は、クロッチ部６の後端近傍の皮膚に、クロッチ後端上方被覆部２５を沿わせることが可能になる。またクロッチ部６の後端６１の左右中心線上の位置６１ａからウエスト部４に、後身頃部２よりも伸びにくい中心部５が配設される。中心部５は、クロッチ部６の左右中心線上の後端６１ａとウエスト部４の方向の上端を支点として、位置６１ａから臀裂に食い込むように配設されるので、中心部５に隣接するクロッチ後端上方被覆部２５をより皮膚に沿わせることが可能になる。
【００４１】
これにより、クロッチ後端上方被覆部２５は、皮膚に当接しながら肉を持ち上げ、クロッチ後端上方被覆部２５近傍の肉を、左右の緊締部２１の方向に移動させることが可能になり、背面から観察した際の左右中心線近傍で左右の内ヒップラインＨにより形成される後方視デルタ形状の空間を広くすることができる。緊締部２１の方向に移動された肉は、緊締部２１によって引き上げることができるので、ヒップトップにより多くの肉を集めて、ヒップトップを、より高く、かつ、よりボリュームアップして形成することができる。
【００４２】
（緊締部）
図１および図２に示すように緊締部２１は、接続部２４と中心部５を外縁２７とする略Ｕ字形状を有する。緊締部２１は、ヒップトップを被覆しないように、ヒップトップを囲うように形成される。これにより、緊締部２１が持ち上げた肉を押しつぶすことなく、美しいヒップラインを形成することができる。
【００４３】
緊締部２１の臀溝ライン側は、左右脇上方よりも強い緊締力を有する。緊締部２１は、強い緊締力を有する強緊締部２２と、強緊締部２２よりも弱い緊締力を有する弱緊締部２３を備える。強緊締部２２は、臀溝ラインから左右中心線側に配設され、弱緊締部２３は、左右脇側上方に配設され、強緊締部２２よりも弱い緊締力を有する弱緊締部２３を備える。
【００４４】
本発明の実施の形態において緊締部２１は、緊締力の高い生地で形成される。本発明の実施の形態において強緊締部２２は、緊締力の高い２枚の生地で形成され、弱緊締部２３は、緊締力の高い１枚の生地で形成される。他の実施例として、強緊締部２２を、緊締力の高い１枚の生地で形成し、弱緊締部２３を、強緊締部２２よりも緊締力の弱い１枚の生地で形成するなど、様々な方法が考えられる。
【００４５】
図２に示すように、緊締部２１において、略Ｕ字形状の生地に、後左身頃において略Ｊ字形状の生地を重ね合わせても良い。後身頃部２において、略Ｕ字形状の生地が重なった部分に、弱緊締部２３が形成され、略Ｕ字形状の生地と略Ｊ字形状の生地が重なった部分に、強緊締部２２が形成される。さらに図２に示すように、強緊締部２２の内縁よりも、弱緊締部２３の内縁をヒップトップに近く設けることにより、生地の重なりによる段差の影響を抑制することができる。
【００４６】
ここで、強緊締部２２と弱緊締部２３とで、図２に示すように幅を変更するようにしても良い。強緊締部２２、特に臀溝ライン近傍は、弱緊締部２３よりも幅広に形成される。これにより強緊締部２２は、下垂した臀部の肉を、強いパワーで持ち上げることができる。
【００４７】
強緊締部２２は、左右中心線側においてウエスト部４に接続するとともに、脇側において弱緊締部２３を介してウエスト部４に接続する。これにより、強緊締部２２は、ボリュームのある臀溝近傍の肉をウエスト部４から持ち上げて、ヒップトップのボリュームアップを実現する。
【００４８】
弱緊締部２３は、ガードル１の着脱のしやすさの観点から、強緊締部２２に比べて弱い緊締力を有するように形成される。弱緊締部２３は、ヒップトップの高さ位置（ヒップトップから水平方向に引いた仮想線）近傍より上方に配設され、ヒップアップに貢献しづらい肉を緊締するので、当該部分の緊締力を弱く形成してもヒップアップの効果に対する影響は少ない。また弱緊締部２３は、ウエスト部４と強緊締部２２を接続して、強緊締部２２による臀溝の持ち上げ力を発揮可能な程度の緊締力を発揮する。
【００４９】
緊締部２１は、略Ｕ字形状の外縁２７の脇側および左右中心線側（左右中心線側の上方）において後身頃部２に接続し、内縁２６において後身頃部２と遊離するように形成される。例えば図５に示すように、ガードル１の肌側を表に返して平置きした際、外縁２７の脇側および左右中心線側が後身頃部２に接続する一方、内縁２６は後身頃部２から浮く場合がある。また図４等に示すように、クロッチ部６の後端６１の近傍において、緊締部２１とクロッチ部６との間に、緊締部２１が設けられず、後身頃部２のみで被覆するクロッチ後端上方被覆部２５が設けられる。また緊締部２１は、略Ｕ字形状の外縁２７の左右中心線側の下端２８において後身頃部２と遊離するように形成される。
【００５０】
これにより、緊締部２１は、内縁２６と、外縁２７のうち左右中心線側の下端２８が後身頃部２と遊離するので、後身頃部２に対して浮き構造を形成する。従って、後身頃部２が、着用者の動きに追従して伸縮しずれ動く場合でも、緊締部２１は、皮膚に当接し、緊締力を発揮することが可能になるので、着くずれを軽減することができる。
【００５１】
緊締部２１は、ガードル１における配設位置よりも、内縁２６の曲率が小さい生地を、後身頃部２に接続し、内縁２６において生地の余剰を形成する。緊締部２１の内縁２６における生地の余剰を、図６を参照して説明する。図６は、ガードル１の緊締部２１の右側の身頃において、ガードル１に配設された緊締部２１の左右中心線側に、緊締部２１を形成する生地２１’の左右中心線側を重ねた図である。
【００５２】
図６に示すように、緊締部２１を形成する生地２１’は、外縁２７’の脇側において、緊締部２１の外縁２７の脇側と距離が同じになるように形成される一方、内縁２６’の脇側において、ガードル１において配設される位置よりも緩やかなカーブを描きかつ距離が長くなるように形成される。このような生地２１’を緊締部として後身頃部２に装着した際に、内縁２６において生地２１’に余剰が生じ、ヒップトップの盛り上がりを潰すことなく、ヒップトップに立体的に追従して覆うことが可能になる。
【００５３】
また図６に示す形状の生地２１’を緊締部２１として形成することにより、左右中心側で強いパワーがかかり、脇側で弱いパワーがかかるので、臀部下部の下垂した脂肪を強力に押し上げることが可能になる。
【００５４】
（ウエスト部）
ウエスト部４において、緊締部の略Ｕ字形状の上端の開口の上方に、ウエスト部４よりも伸びにくい伸び止め部４１が設けられる。伸び止め部４１は、例えば、袋状に縫製されたウエスト部４の内部に、内包される。
【００５５】
本発明の実施の形態に係るガードル１は、緊締部２１が略Ｕ字形状を有するので、伸び止め部４１を設けない場合、後身頃部２とウエスト部４との接続部４２が、左右方向に広がり、ヒップが左右方向に流れてしまう場合がある。そこで、後身頃部２とウエスト部４との接続部４２の近傍であって、緊締部２１の略Ｕ字形状の上端を跨ぐように伸び止め部４１を配置することにより、ヒップの左右方向の広がりを抑制することができる。
【００５６】
伸び止め部４１は、左右中心線近傍（中心部５近傍）には、設けられないのが好ましい。これにより、ガードル１の着脱しやすさを担保することができる。
【００５７】
（部材特性）
後身頃部２および足被覆部３は、それぞれ、上下方向の伸び率が、１８０％から２４０％程度で、左右方向の伸び率が、１２０％から１８０％程度の素材が好ましい。後身頃部２および足被覆部３は、それぞれ、上下方向の伸長回復力が、１００ｃＮから１６０ｃＮ程度で、左右方向の伸長回復力が、６０ｃＮから１２０ｃＮ程度の素材が好ましい。
【００５８】
後身頃部２に重ねられた強緊締部２２は、左右中心線から脇側下方４５度の方向の伸び率が、６０％から１２０％程度で、左右中心線から脇側下方４５度の方向に直交する方向の伸び率が、３０％から９０％程度の素材が好ましい。後身頃部２に重ねられた強緊締部２２は、左右中心線から脇側下方４５度の方向の伸長回復力が、２７０ｃＮから３３０ｃＮ程度で、左右中心線から脇側下方４５度の方向に直交する方向の伸長回復力が、５８０ｃＮから６４０ｃＮ程度の素材が好ましい。この強緊締部２２の測定値は、略Ｕ字形状の生地と略Ｊ字形状の生地を重ねた生地によって与えられる。
【００５９】
後身頃部２に重ねられた弱緊締部２３は、上下方向の伸び率が、４０％から１００％程度で、左右方向の伸び率が、１２０％から１８０％程度の素材が好ましい。後身頃部２に重ねられた弱緊締部２３は、上下方向の伸長回復力が、３３０ｃＮから３９０ｃＮ程度で、左右方向の伸長回復力が、１３０ｃＮから１９０ｃＮ程度の素材が好ましい。この弱緊締部２３の測定値は、略Ｕ字形状の生地によって与えられる。
【００６０】
後身頃部２および強緊締部２２を重ねた生地は、左右中心線から脇側下方４５度の方向の伸び率が、２５％から８５％程度で、左右中心線から脇側下方４５度の方向に直交する方向の伸び率が、１５％から７５％程度の素材が好ましい。後身頃部２および強緊締部２２を重ねた生地は、左右中心線から脇側下方４５度の方向の伸長回復力が、５８０ｃＮから６４０ｃＮ程度で、左右中心線から脇側下方４５度の方向に直交する方向の伸長回復力が、６７０ｃＮから７３０ｃＮ程度の素材が好ましい。この強緊締部２２の測定値は、後身頃部２の生地に、略Ｕ字形状の生地と略Ｊ字形状の生地を重ねた生地によって与えられる。
【００６１】
後身頃部２および弱緊締部２３を重ねた生地は、左右方向の伸び率が、６０％から１２０％程度で、上下方向の伸び率が、３０％から９０％程度の素材が好ましい。後身頃部２および弱緊締部２３を重ねた生地は、左右方向の伸長回復力が、２７０ｃＮから３３０ｃＮ程度で、上下方向の伸長回復力が、５８０ｃＮから６４０ｃＮ程度の素材が好ましい。この弱緊締部２３の測定値は、後身頃部２の生地に、略Ｕ字形状の生地を重ねた生地によって与えられる。
【００６２】
本発明の実施の形態において、伸び率および伸長回復力は、１６０ｍｍ×２５ｍｍの試験片を、上部つかみ２５ｍｍ、下部つかみ３５ｍｍおよびつかみ間隔１００ｍｍで、定速伸長形引張試験機に取り付けて、測定される。生地の経方向および緯方向がそれぞれ長手方向（１６ｍｍ側）になるように裁断された、複数の試験片が用いられる。
【００６３】
伸び率は、試験片を定速伸長形引張試験機に取り付け、試験片を左右方向および上下方向にそれぞれ荷重１４．７Ｎをかけて測定されたものである。伸長回復力は、試験片を定速伸長形引張試験機に取り付け、３００ｍｍ／分程度の速度で伸長回復を複数回繰り返し、３０％伸長した際の伸長力（ｃＮ）と、３０％に回復した際の回復力（ｃＮ）の平均により算出される。
【００６４】
図７および図８を参照して、本発明の実施の形態に係るガードル１の着用の効果を説明する。図７（ａ）は、下垂したヒップを側面から観察した図で、図７（ｂ）は、下垂したヒップに本発明の実施の形態に係るガードル１を着用した状態を側面から観察した図で、図７（ｃ）は、下垂のないヒップを側面から観察した図である。図７の線Ｌは、下垂のないヒップのヒップトップの水平方向の高さを示し、図７（ｂ）および（ｃ）の破線は、図７（ｃ）のヒップの輪郭を示す。
【００６５】
図７に示すように、本発明の実施の形態に係るガードル１を着用すると、図７（ａ）のように、線Ｌよりも下垂したヒップを、より下垂のないヒップに近づけることが可能になる。
【００６６】
図８（ａ）は、下垂したヒップを背面から観察した図で、図８（ｂ）は、下垂したヒップに本発明の実施の形態に係るガードル１を着用した状態を背面から観察した図である。図８（ａ）に示す内ヒップラインＨの位置は、ガードル１の着用により、図８（ｂ）に示す内ヒップラインＨ’の位置に移動する。また図８（ａ）に示すＰ３の位置は、図８（ｂ）に示すように、ヒップトップ側のＰ３’の位置に移動する。図８（ａ）に示すＰ３は、図１０に示す手法で決定したＰ３を着用者の皮膚上に移した点である。また図８（ｂ）に示すＰ３’は、ガードル１の着用によって図８（ａ）の皮膚上のＰ３が移動した皮膚上の位置を示す。
【００６７】
ガードル１の着用時の内ヒップラインＨ’により形成される後方視デルタ形状は、ガードル１の非着用時の内ヒップラインＨにより形成される後方視デルタ形状よりも広く形成され、下垂のないヒップにおける後方視デルタ形状に近づいていることがわかる。これにより本発明の実施の形態に係るガードル１の着用により、内ヒップラインＨがヒップトップ側へ移動するのに伴って、後方視デルタ形状の空間を広くし、かつ、下垂のないヒップの形状に近く補整できていることがわかる。
【００６８】
このような本発明の実施の形態に係るガードル１によれば、ヒップを持ち上げるための緊締部２１が、クロッチ部６の後端６１と接続しないので、クロッチ部６の後端６１の上方の臀部の肉を、滑らかに伸びる後身頃部２で押圧して引き上げることが可能である。後身頃部２が押圧して引き上げた肉は、緊締部２１により強いパワーで引き上げることができるので、クロッチ部６の後端６１近傍の内ヒップラインＨの開きを大きくして、左右中心線近傍で左右の内ヒップラインＨにより形成される後方視デルタ形状の空間を形成することができる。これにより、より多くの肉を、緊締部２１が引き上げることができ、ヒップアップとヒップのボリュームアップを実現するとともに、左右中心線近傍の内ヒップラインＨを上げて、左右中心線近傍の後方視のシルエットをすっきりとスリムに形成することができる。
【００６９】
従って、このような本発明の実施の形態に係るガードル１によれば、クロッチ部６の後端近傍で皮膚にフィットさせて、美しいヒップラインの形成を実現することが可能になる。
【００７０】
また本発明の実施の形態に係るガードル１において、後身頃部２と足被覆部３との間に、後身頃部２および足被覆部３よりも伸びにくい接続部２４が形成され、緊締部２１は接続部２４に接続する。これにより接続部２４は、臀部の肉と足部の肉を区切ることができるので、緊締部２１は、臀部の肉を適切に持ち上げることが可能になる。
【００７１】
さらに本発明の実施の形態において、臀部近傍は、緊締部２１を形成する生地（当て布）を、後身頃部２に重ね、緊締部２１の中心部５側、上端、および下端の脇側を、後身頃部２に接続する。緊締部２１の内縁２６、および下端の左右中心線側は、後身頃部２に接続しないので、緊締部２１の中央が後身頃部２から遊離可能なハンモック構造を形成する。従って緊締力の強い緊締部２１は、臀部の肉を強く緊締するとともに、伸縮しやすい後身頃部２は、着用者の動作に伴う皮膚の動きに追従することができるので、ヒップの造形と着くずれのしにくさを両立することが可能になる。
【００７２】
（変形例）
本発明の実施の形態に係るガードル１は、生地を重ねたカットソーで形成される場合を説明したが、所望の位置に所望のパワーをかけてガードルを形成できればよく、どのような方法で形成しても良い。
【００７３】
例えば、編み方を変更して、図１等に示す中心部５、緊締部２１、接続部２４等のそれぞれの位置に、所望のパワーがかかるように形成することができる。或いは、中心部５、緊締部２１、接続部２４等のそれぞれの位置に、緊締力を発揮する樹脂等を生地に塗布して、所望のパワーがかかるように形成することができる。
【００７４】
このような変形例に係るガードルによれば、本発明の実施の形態に係るガードル１と同様に、クロッチ部６の後端６１近傍の内ヒップラインＨを、ヒップトップ側に移動させることができる。また内ヒップラインＨの開きを大きくして、左右中心線近傍で内ヒップラインＨにより形成される後方視デルタ形状の空間を形成することができる。変形例に係るガードルによれば、ヒップアップとヒップのボリュームアップを実現するとともに、臀部のクロッチ部６の後端より後身頃部２側の脂肪（特に、左右中心線側の脂肪）をすっきりと整えることができる。従って、このような変形例に係るガードルによれば、クロッチ部６の後端近傍で皮膚にフィットさせて、美しいヒップラインの形成を実現することが可能になる。
【００７５】
また、接続部２４が、臀部の肉と足部の肉を区切ることができるので、緊締部２１は、臀部の肉を適切に持ち上げることが可能になる。
【００７６】
（その他の実施の形態）
上記のように、本発明の実施の形態とその変形例によって記載したが、この開示の一部をなす論述および図面はこの発明を限定するものであると理解すべきではない。この開示から当業者には様々な代替実施の形態、実施例および運用技術が明らかとなる。
【００７７】
例えば、本発明の実施の形態において、クロッチ部を有する衣類は、膝上を覆う長さを有するガードルである場合を説明したが、膝下まで覆うガードルに適用されても良い。またガードルではなく、水着、レオタード、ボディスーツなど、体にフィットするクロッチ部を有する衣類にも同様に適用することができる。
【００７８】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７９】
１  ガードル
２  後身頃部
３  足被覆部
４  ウエスト部
５  中心部
６  クロッチ部
２１  緊締部
２２  強緊締部
２３  弱緊締部
２４、４２  接続部
２５  クロッチ後端上方被覆部
２６  内縁
２７  外縁
２８  外縁の左右中心線側の下端
４１  伸び止め部
６１  後端
【図１】
2020023758.tif 000003
【図２】
2020023758.tif 000004
【図３】
2020023758.tif 000005
【図４】
2020023758.tif 000006
【図５】
2020023758.tif 000007
【図６】
2020023758.tif 000008
【図７】
2020023758.tif 000009
【図８】
2020023758.tif 000010
【図９】
2020023758.tif 000011
【図１０】
2020023758.tif 000012
【図１１】
2020023758.tif 000013